(57)【要約】【課題】  本発明は、出入口からの非接触ＩＣカードの出入りを正確に判断することができ、管理対象空間内に位置する非接触ＩＣカードを正確に把握することができる位置情報管理システムおよび位置情報管理方法を提供することを課題とする。【解決手段】  判定部８４は、受信部８１から個体ＩＤと装置ＩＤとが入力されると、直近位置情報記憶部８２に記憶されている直近位置情報と比較することにより、出入口３からの非接触ＩＣカード１の出入りを判断し、非接触ＩＣカード１が出入口３から管理対象空間２内に入ったと判断した場合には、受信した個体ＩＤを在室情報記憶部８３に記憶されている在室情報に記憶させ、非接触ＩＣカード１が出入口３から管理対象空間２外に出たかを判断した場合には、受信した個体ＩＤを在室情報記憶部８３に記憶されている在室情報から削除する。【選択図】        図１
2005275516.tif 000002
【特許請求の範囲】
【請求項１】
非接触型記憶媒体から非接触方式で個体ＩＤを読み取ることによって管理対象空間内に位置する前記非接触型記憶媒体の位置情報を管理する位置情報管理システムであって、
前記管理対象空間の出入口の室外側周辺を読み取り範囲として前記非接触型記憶媒体から非接触方式で個体ＩＤを読み取る室外ＩＤ読み取り手段と、
前記管理対象空間の出入口の室内側周辺を読み取り範囲として前記非接触型記憶媒体から非接触方式で個体ＩＤを読み取る室内ＩＤ読み取り手段と、
前記管理対象空間内に位置する前記非接触型記憶媒体を在室情報として記憶する在室情報記憶手段と、
前記室外ＩＤ読み取り手段および前記室内ＩＤ読み取り手段による個体ＩＤの読み取り順序に応じて前記非接触型記憶媒体の前記管理対象空間への出入りを判定して、在室情報記憶手段に記憶された前記在室情報の更新を行う判定手段とを具備することを特徴とする位置情報管理システム。
【請求項２】
前記判定手段は、前記室外ＩＤ読み取り手段によって読み取られた個体ＩＤが直後に前記室内ＩＤ読み取り手段によって読み取られた場合には、当該個体ＩＤが記憶されている前記非接触型記憶媒体が前記管理対象空間内に入ったと判定して、当該非接触型記憶媒体を前記在室情報に記憶させ、前記室内ＩＤ読み取り手段によって読み取られた個体ＩＤが直後に前記室外ＩＤ読み取り手段によって読み取られた場合には、当該個体ＩＤが記憶されている前記非接触型記憶媒体が前記管理対象空間外に出たと判定して、当該非接触型記憶媒体を前記在室情報から削除させることを特徴とする請求項１記載の位置情報管理システム。
【請求項３】
非接触型記憶媒体から非接触方式で個体ＩＤを読み取ることによって管理対象空間内に位置する前記非接触型記憶媒体の位置情報を管理する位置情報管理方法であって、
前記管理対象空間の出入口の室外側周辺を読み取り範囲として前記非接触型記憶媒体から非接触方式で個体ＩＤを読み取り、
前記管理対象空間の出入口の室内側周辺を読み取り範囲として前記非接触型記憶媒体から非接触方式で個体ＩＤを読み取り、
個体ＩＤの読み取り順序に応じて前記非接触型記憶媒体の前記管理対象空間への出入りを判定することを特徴とする位置情報管理方法。
【発明の詳細な説明】
【技術分野】
【０００１】
本発明は、非接触ＩＣカードの位置情報を管理する位置情報管理システムおよび位置情報管理方法に関し、特に管理対象空間内に位置する非接触ＩＣカードの位置情報を管理する位置情報管理システムおよび位置情報管理方法に関する。
【背景技術】
【０００２】
近年、非接触で情報の送受信を行うことができる非接触ＩＣカードの実用化の目処が付いたことから、各個人が所有した非接触ＩＣカードのＩＤを、非接触のデータキャリア方式を用いて識別装置で読み取り、サーバ装置に通知することで、自動的にＩＤによる位置情報の登録／更新をリアルタイムで行う位置管理システムが提案されている（例えば、特許文献１参照）。
【０００３】
しかしながら、従来技術では、識別装置の読み取り範囲内に位置する非接触ＩＣカードを検出するのみであるため、識別装置の読み取り範囲を非接触ＩＣカードが通過したことは検出できるものの、どちらの方向に非接触ＩＣカードが移動したかを検出することができない。すなわち、識別装置を管理対象空間の出入口に配置した場合には、出入口に近づいた非接触ＩＣカードを検出しても、実際に管理対象空間の中に入ったのか、それとも出入口に近寄っただけで他所に向かったのかを判断することができず、管理対象空間内に位置する非接触ＩＣカードを正確に把握することができないという問題点があった。
【特許文献１】特開２０００−１１１２３号公報
【発明の開示】
【発明が解決しようとする課題】
【０００４】
本発明は斯かる問題点を鑑みてなされたものであり、その目的とするところは、管理対象空間の出入口に配置したＩＤ読み取り装置によって、出入口からの非接触ＩＣカードの出入りを正確に判断することができ、管理対象空間内に位置する非接触ＩＣカードを正確に把握することができる位置情報管理システムおよび位置情報管理方法を提供する点にある。
【課題を解決するための手段】
【０００５】
本発明は上記課題を解決すべく、以下に掲げる構成とした。
請求項１記載の発明の要旨は、非接触型記憶媒体から非接触方式で個体ＩＤを読み取ることによって管理対象空間内に位置する前記非接触型記憶媒体の位置情報を管理する位置情報管理システムであって、前記管理対象空間の出入口の室外側周辺を読み取り範囲として前記非接触型記憶媒体から非接触方式で個体ＩＤを読み取る室外ＩＤ読み取り手段と、前記管理対象空間の出入口の室内側周辺を読み取り範囲として前記非接触型記憶媒体から非接触方式で個体ＩＤを読み取る室内ＩＤ読み取り手段と、前記管理対象空間内に位置する前記非接触型記憶媒体を在室情報として記憶する在室情報記憶手段と、前記室外ＩＤ読み取り手段および前記室内ＩＤ読み取り手段による個体ＩＤの読み取り順序に応じて前記非接触型記憶媒体の前記管理対象空間への出入りを判定して、在室情報記憶手段に記憶された前記在室情報の更新を行う判定手段とを具備することを特徴とする位置情報管理システムに存する。
また請求項２記載の発明の要旨は、前記判定手段は、前記室外ＩＤ読み取り手段によって読み取られた個体ＩＤが直後に前記室内ＩＤ読み取り手段によって読み取られた場合には、当該個体ＩＤが記憶されている前記非接触型記憶媒体が前記管理対象空間内に入ったと判定して、当該非接触型記憶媒体を前記在室情報に記憶させ、前記室内ＩＤ読み取り手段によって読み取られた個体ＩＤが直後に前記室外ＩＤ読み取り手段によって読み取られた場合には、当該個体ＩＤが記憶されている前記非接触型記憶媒体が前記管理対象空間外に出たと判定して、当該非接触型記憶媒体を前記在室情報から削除させることを特徴とする請求項１記載の位置情報管理システムに存する。
また請求項３記載の発明の要旨は、非接触型記憶媒体から非接触方式で個体ＩＤを読み取ることによって管理対象空間内に位置する前記非接触型記憶媒体の位置情報を管理する位置情報管理方法であって、前記管理対象空間の出入口の室外側周辺を読み取り範囲として前記非接触型記憶媒体から非接触方式で個体ＩＤを読み取り、前記管理対象空間の出入口の室内側周辺を読み取り範囲として前記非接触型記憶媒体から非接触方式で個体ＩＤを読み取り、個体ＩＤの読み取り順序に応じて前記非接触型記憶媒体の前記管理対象空間への出入りを判定することを特徴とする位置情報管理方法に存する。
【発明の効果】
【０００６】
本発明の位置情報管理システムおよび位置情報管理方法は、出入口の室外側周辺を読み取り範囲とする室外ＩＤ読み取り装置と、出入口の室内側周辺を読み取り範囲とする室内ＩＤ読み取り装置とにより、非接触ＩＣカードから個体ＩＤを読み取り、読み取られた順序によって出入口からの非接触ＩＣカードの出入りを判断するように構成することにより、出入口からの非接触ＩＣカードの出入りを正確に判断することができ、管理対象空間内に位置する非接触ＩＣカードを正確に把握することができるという効果を奏する。
【発明を実施するための最良の形態】
【０００７】
以下、本発明の実施の形態を図面に基づいて詳細に説明する。
【０００８】
図１は、本発明に係る位置情報管理システムの実施の形態の構成を示すブロック図であり、図２は、本発明に係る位置情報管理システムの実施の形態が管理対象とする非接触ＩＣカードの構成を示す図であり、図３は、図１に示す室外ＩＤ読み取り装置および室内ＩＤ読み取り装置の構成を示すブロック図である。
【０００９】
本実施の形態の位置情報管理システムは、出入口３によって他の空間と区別される事務室等の管理対象空間２内に位置する非接触ＩＣカード１、すなわち非接触ＩＣカード１を携帯している個人を管理するシステムであり、１つの出入口３に対してペアで配置された室外ＩＤ読み取り装置４および室内ＩＤ読み取り装置５と、位置情報管理装置８とからなり、室外ＩＤ読み取り装置４および室内ＩＤ読み取り装置５と位置情報管理装置８とは、ＬＡＮ等のネットワーク７によって接続され、さらに、位置情報管理装置８は、インターネット等の外部のネットワーク９を介してパソコンや携帯電話機等の外部端末装置１０と接続されている。
【００１０】
非接触ＩＣカード１は、室外ＩＤ読み取り装置４および室内ＩＤ読み取り装置５からの呼び出し信号に応答して、記憶している個体ＩＤを非接触方式で室外ＩＤ読み取り装置４および室内ＩＤ読み取り装置５に送信する機能を有する非接触型記憶媒体であり、図２を参照すると、カード基体１１内に、ＩＣチップ１２およびアンテナ１３からなる非接触ＩＣ回路が実装され、社員証や学生証等の個人で携帯するカードとして使用される。個体ＩＤとは、非接触ＩＣカード１毎に予め設定されている社員番号や学生番号等の個体識別用の固有のＩＤである。
【００１１】
室外ＩＤ読み取り装置４および室内ＩＤ読み取り装置５は、非接触ＩＣカード１に記憶されている個体ＩＤを非接触方式で読み取る機能を有するリーダ装置であり、図３を参照すると、電波の送受信を行うためのアンテナ１４と、送受信部１５と、ＩＤ記憶部１６と、ＩＤ識別部１７と、ＩＤ送信部１８とからなる。なお、室外ＩＤ読み取り装置４と室内ＩＤ読み取り装置５とは、図１に示すように、管理対象空間２の出入口３にペアで配置され、室外ＩＤ読み取り装置４の読み取り範囲６は、出入口３の室外側周辺をカバーするように配置され、室内ＩＤ読み取り装置５は、読み取り範囲６が出入口３の室内側周辺をカバーするように配置される。
【００１２】
送受信部１５は、呼び出し信号を電波に載せて送信すると共に、受信した電波から個体ＩＤを復調し、ＩＤ識別部１７に出力する。
【００１３】
ＩＤ記憶部１６は、非接触ＩＣカード１から受信した個体ＩＤを記憶する記憶手段であり、読み取り範囲６内に位置する非接触ＩＣカード１の個体ＩＤが記憶される。
【００１４】
ＩＤ識別部１７は、送受信部１５から入力された個体ＩＤがＩＤ記憶部１６に記憶されていない新規な個体ＩＤである場合には、新規な個体ＩＤをＩＤ記憶部１６に記憶させると共に、新規な個体ＩＤと装置ＩＤとをＩＤ送信部１８に出力する。また、ＩＤ記憶部１６に記憶されている個体ＩＤが送受信部１５から入力されなかった場合には、その個体ＩＤをＩＤ記憶部１６から消去する。なお、装置ＩＤは、室外ＩＤ読み取り装置４および室内ＩＤ読み取り装置５のそれぞれに予め設定されている固有のＩＤであり、配置されている出入口の場所を示す場所コードと、室外ＩＤ読み取り装置４もしくは室内ＩＤ読み取り装置５であるかを示す室内外識別コードとからなる。
【００１５】
ＩＤ送信部１８は、ネットワーク７を介して位置情報管理装置８と通信する機能を有し、ＩＤ識別部１７から入力された個体ＩＤと装置ＩＤとを位置情報管理装置８に送信する。
【００１６】
位置情報管理装置８は、サーバ装置等のプログラム制御によって動作する情報処理装置であり、受信部８１と、直近位置情報記憶部８２と、在室情報記憶部８３と、判定部８４と、通信制御部８５とからなる。
【００１７】
受信部８１は、ネットワーク７を介して室外ＩＤ読み取り装置４および室内ＩＤ読み取り装置５と通信する機能を有し、室外ＩＤ読み取り装置４および室内ＩＤ読み取り装置５から個体ＩＤと装置ＩＤとを受信し、受信した個体ＩＤと装置ＩＤとを判定部８４に出力する。
【００１８】
直近位置情報記憶部８２は、各個体ＩＤに対応する装置ＩＤを直近位置情報として記憶する記憶手段であり、非接触ＩＣカード１が移動して個体ＩＤを読み出した装置が変わるたびに装置ＩＤが更新される。
【００１９】
在室情報記憶部８３は、管理対象空間２内に位置する非接触ＩＣカード１の個体ＩＤが記憶される記憶手段である。なお、非接触ＩＣカード１の個体ＩＤの代わりに非接触ＩＣカード１を携帯する個体名を記憶するようにしても良い。
【００２０】
判定部８４は、受信部８１から個体ＩＤと装置ＩＤとが入力されると、直近位置情報記憶部８２に記憶されている直近位置情報と比較することにより、出入口３からの非接触ＩＣカード１の出入りを判断し、非接触ＩＣカード１が出入口３から管理対象空間２内に入ったと判断した場合には、受信した個体ＩＤを在室情報記憶部８３に記憶されている在室情報に記憶させ、非接触ＩＣカード１が出入口３から管理対象空間２外に出たと判断した場合には、受信した個体ＩＤを在室情報記憶部８３に記憶されている在室情報から削除する。
【００２１】
通信制御部８５は、ネットワーク９を介して外部端末装置１０と通信する機能を有し、外部端末装置１０からの要求に応じて在室情報記憶部８３に記憶されている在室情報を外部端末装置１０に送信する。
【００２２】
次に、本実施の形態の動作について図４および図５を参照して詳細に説明する。
図４は、図１に示す室外ＩＤ読み取り装置および室内ＩＤ読み取り装置の動作を説明するためのフローチャートであり、図５は、図１に示す判定部の動作を説明するためのフローチャートである。
【００２３】
まず、室外ＩＤ読み取り装置４および室内ＩＤ読み取り装置５における非接触ＩＣカード１に記憶されている個体ＩＤの読み取り動作について図４を参照して説明する。
送受信部１５は、所定の周期で呼び出し信号を送信し（ステップＡ１）、読み取り範囲６内に位置する非接触ＩＣカード１からの個体ＩＤの受信を待機しており、非接触ＩＣカード１が読み取り範囲６内に位置する場合には、呼び出し信号に応答して非接触ＩＣカード１から送信される個体ＩＤを受信し、ＩＤ識別部１７に出力する。なお、読み取り範囲６内に複数の非接触ＩＣカード１が位置する場合には、複数の個体ＩＤが受信されることになる。
【００２４】
ＩＤ識別部１７は、呼び出し信号の送信に応答した個体ＩＤを受信したか否かを送受信部１５からの個体ＩＤの入力の有無で判断し（ステップＡ２）、個体ＩＤを受信した場合には、受信した個体ＩＤとＩＤ記憶部１６に記憶されている個体ＩＤとを比較し（ステップＡ３）、受信した個体ＩＤの中でＩＤ記憶部１６に記憶されていない新規な個体ＩＤがあるか否かを判断する（ステップＡ４）。
【００２５】
新規な個体ＩＤがない場合には、ステップＡ７に至り、新規な個体ＩＤがある場合には、新規な個体ＩＤをＩＤ記憶部１６に記憶させると共に（ステップＡ５）、ＩＤ識別部１７は、新規な個体ＩＤと装置ＩＤとをＩＤ送信部１８に出力し、ＩＤ送信部１８は、ネットワーク７を介して入力された個体ＩＤと装置ＩＤとを位置情報管理装置８に送信する（ステップＡ６）。
【００２６】
次に、ＩＤ識別部１７は、ＩＤ記憶部１６に記憶されているが受信されなかった個体ＩＤがあるか否かを判断し（ステップＡ７）、受信されなかった個体ＩＤがない場合には、ステップＡ１の処理に戻り、受信されなかった個体ＩＤがある場合には、受信されなかった個体ＩＤをＩＤ記憶部１６から消去し（ステップＡ８）、ステップＡ１の処理に戻る。
【００２７】
ステップＡ２で個体ＩＤを受信しない場合には、ＩＤ記憶部１６に記憶されている全ての個体ＩＤを消去し（ステップＡ９）、ステップＡ１の処理に戻る。
【００２８】
次に、位置情報管理装置８における位置情報管理動作について図５を参照して説明する。
受信部８１は、室外ＩＤ読み取り装置４および室内ＩＤ読み取り装置５からの個体ＩＤと装置ＩＤとの受信を待機しており（ステップＢ１）、室外ＩＤ読み取り装置４および室内ＩＤ読み取り装置５から個体ＩＤと装置ＩＤとを受信すると（ステップＢ２）、受信した個体ＩＤと装置ＩＤとを判定部８４に出力する。
【００２９】
判定部８４は、個体ＩＤと装置ＩＤとが受信部８１から入力されると、入力された個体ＩＤの直近位置情報を直近位置情報記憶部８２から読み出し（ステップＢ３）、読み出した直近位置情報と装置ＩＤとを比較し（ステップＢ４）、読み出した直近位置情報と装置ＩＤとが同一の出入口であるか否かを判断する（ステップＢ５）。
【００３０】
読み出した直近位置情報と装置ＩＤとが同一の出入口でない場合には、判定部８４は、直近位置情報記憶部８２に記憶されている直近位置情報を入力された装置ＩＤに更新して（ステップＢ６）、ステップＢ１に戻る。読み出した直近位置情報と装置ＩＤとが同一の出入口である場合には、判定部８４は、読み出した直近位置情報が室外か否か、すなわち室外ＩＤ読み取り装置４の装置ＩＤであるか否かを判断する（ステップＢ７）。
【００３１】
読み出した直近位置情報が室外である場合には、判定部８４は、入力された装置ＩＤが室内であるか否か、すなわち室内ＩＤ読み取り装置５の装置ＩＤであるか否かを判断する（ステップＢ８）。
【００３２】
入力された装置ＩＤが室内である場合には、判定部８４は、非接触ＩＣカード１が出入口３から管理対象空間２内に入ったと判断し、入力された個体ＩＤもしくは入力された個体ＩＤに対応する個体名を在室情報記憶部８３に記憶されている在室情報に記憶させると共に（ステップＢ９）、直近位置情報記憶部８２に記憶されている直近位置情報を入力された装置ＩＤに更新して（ステップＢ１０）、ステップＢ１に戻る。なお、ステップＢ８で入力された装置ＩＤが室内でない場合には、ステップＢ１に戻る。
【００３３】
ステップＢ７で読み出した直近位置情報が室外でない場合、すなわち読み出した直近位置情報が室内である場合には、判定部８４は、入力された装置ＩＤが室外であるか否か、すなわち室外ＩＤ読み取り装置４の装置ＩＤであるか否かを判断する（ステップＢ１１）。
【００３４】
入力された装置ＩＤが室外である場合には、判定部８４は、非接触ＩＣカード１が出入口３から管理対象空間２外に出たと判断し、入力された個体ＩＤもしくは入力された個体ＩＤに対応する個体名を在室情報記憶部８３に記憶されている在室情報から削除すると共に（ステップＢ１２）、直近位置情報記憶部８２に記憶されている直近位置情報を入力された装置ＩＤに更新して（ステップＢ１３）、ステップＢ１に戻る。なお、ステップＢ１１で入力された装置ＩＤが室外でない場合には、ステップＢ１に戻る。
【００３５】
以上説明したように、本実施の形態によれば、出入口３の室外側周辺を読み取り範囲６とする室外ＩＤ読み取り装置４と、出入口３の室内側周辺を読み取り範囲６とする室内ＩＤ読み取り装置５とにより、非接触ＩＣカード１から個体ＩＤを読み取り、読み取られた順序によって出入口３からの非接触ＩＣカード１の出入りを判断するように構成することにより、出入口３からの非接触ＩＣカード１の出入りを正確に判断することができ、管理対象空間２内に位置する非接触ＩＣカード１を正確に把握することができるという効果を奏する。
【００３６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３７】
【図１】本発明に係る位置情報管理システムの実施の形態の構成を示すブロック図である。
【図２】本発明に係る位置情報管理システムの実施の形態が管理対象とする非接触ＩＣカードの構成を示す図である。
【図３】図１に示す室外ＩＤ読み取り装置および室内ＩＤ読み取り装置の構成を示すブロック図である。
【図４】図１に示す室外ＩＤ読み取り装置および室内ＩＤ読み取り装置の動作を説明するためのフローチャートである。
【図５】図１に示す判定部の動作を説明するためのフローチャートである。
【符号の説明】
【００３８】
１  非接触ＩＣカード
２  管理対象空間
３  出入口
４  室外ＩＤ読み取り装置
５  室内ＩＤ読み取り装置
６  読み取り範囲
７  ネットワーク
８  位置情報管理装置
８１  受信部
８２  直近位置情報記憶部
８３  在室情報記憶部
８４  判定部
８５  通信制御部
９  ネットワーク
１０  外部端末装置
１１  カード基体
１２  ＩＣチップ
１３  アンテナ
１４  アンテナ
１５  送受信部
１６  ＩＤ記憶部
１７  ＩＤ識別部
１８  ＩＤ送信部
【図１】
2005275516.tif 000003
【図２】
2005275516.tif 000004
【図３】
2005275516.tif 000005
【図４】
2005275516.tif 000006
【図５】
2005275516.tif 000007